(57)【要約】【課題】取扱いが容易であり、交換・修理も手間無くかつ経済的に行える防滑材収納箱を提供すること。【解決手段】防滑材入りの袋８を出し入れ可能に収納する袋収納ユニット１と、この袋収納ユニット１を連結・離脱可能に下から支持する台座ユニット２と、袋収納ユニット１を連結・離脱可能に上から覆う蓋ユニット３とを備える。袋収納ユニット１は、１個又は連結・離脱可能に上下に積み重なる複数個の箱単体１０からなる。【選択図】  図８
2004308196.tif 000002
【特許請求の範囲】
【請求項１】
防滑材入りの袋を出し入れ可能に収納する袋収納ユニットと、この袋収納ユニットを連結・離脱可能に下から支持する台座ユニットと、袋収納ユニットを連結・離脱可能に上から覆う蓋ユニットとを備え、
前記袋収納ユニットは、１個又は連結・離脱可能に上下に積み重なる複数個の箱単体からなることを特徴とする防滑材収納箱。
【請求項２】
袋収納ユニットの箱単体は、左右の側壁と、上壁と、後壁とが一体状に連設されてなる本体部と、上端が左右の側壁に略水平軸心廻りに揺動可能に取り付けられて本体部の前方開口部を開閉可能に遮蔽する扉部とからなり、
台座ユニットは、左右の側壁と、上壁と、後壁と、底壁と、前壁とが一体状に連設されてなり、
袋収納ユニットの収納空間を、箱単体の左右の側壁、上壁、後壁、扉部、及び台座ユニットの上壁又は下に重なる箱単体の上壁にて区画形成してなる請求項１に記載の防滑材収納箱。
【請求項３】
袋収納ユニットの箱単体の本体部は、左右の側壁、上壁及び後壁がそれぞれ二重壁構造で一体状に連設されてなる請求項２に記載の防滑材収納箱。
【請求項４】
蓋ユニットは、左右の側壁と、上壁と、後壁と、底壁と、開口部及び開口部を開閉する開閉蓋を有する前壁とが一体状に連設されて内部が中空の空袋収納部とされた請求項１〜３の何れか１つに記載の防滑材収納箱。
【請求項５】
蓋ユニットは、左右の側壁と、上壁と、後壁と、開口部及び開口部を開閉する開閉蓋を有する前壁とが一体状に連設され、
蓋ユニットの収納空間を、蓋ユニットの左右の側壁、上壁、後壁、前壁及び袋収納ユニットの箱単体の上壁にて区画形成してなる請求項１〜３の何れか１つに記載の防滑材収納箱。
【請求項６】
台座ユニットは、その上壁における左右側面側及び後面側にナットがネジ孔を上下方向としてそれぞれ埋設され、
袋収納ユニットの箱単体は、その上壁における左右側面側及び後面側にナットがネジ孔を上下方向としてそれぞれ埋設され、かつ左右の側壁及び後壁における台座部のナット又は下に重なる箱単体のナットの上方近傍位置にそれぞれ凹部を有すると共に、各凹部の下面側にボルト挿通用の貫通孔を有し、
蓋ユニットは、その左右の側壁及び後壁における箱単体のナットの上方近傍位置にそれぞれ凹部を有すると共に、各凹部の下面にボルト挿通用の貫通孔を有する請求項２〜４の何れか１つに記載の防滑材収納箱。
【請求項７】
設置場所に固定され、上面に台座ユニットが載置される架台をさらに備え、
台座ユニットは、底壁のコーナー部近傍にナットがネジ孔を上下方向としてそれぞれ埋設されており、
前記架台は、上面に載置した台座ユニットの各ナットに対応する位置にボルト挿通用の貫通孔を有してなる請求項２〜６の何れか１つに記載の防滑材収納箱。
【請求項８】
蓋ユニットは、その上壁が、後方へ向かって下方に傾斜してなる請求項２〜７の何れか１つに記載の防滑材収納箱。
【請求項９】
扉部は、透明樹脂製の覗き窓を有する請求項２〜８の何れか１つに記載の防滑材収納箱。
【請求項１０】
台座ユニットは、その上壁が、下方へ凹んで上面側に収納容積増加用凹所が形成されてなる請求項２〜９の何れか１つに記載の防滑材収納箱。
【請求項１１】
台座ユニットは、その上壁の凹所における前面側に、後方へ向かって下方に傾斜する取出し労力軽減用傾斜面部を有する請求項１０に記載の防滑材収納箱。
【請求項１２】
各ユニットは、主として熱可塑性樹脂を原材料として回転成型により形成されてなる請求項１〜１１の何れか１つに記載の防滑材収納箱。
【発明の詳細な説明】
【０００１】
【発明の属する技術分野】
本発明は、防滑材収納箱に関し、さらに詳しくは、寒冷地や雪国等で凍結した路面に撒いて滑り止めする防滑材を道路脇や交差点脇に保管しておくための防滑材収納箱に関する。
【０００２】
【従来の技術】
従来この種の防滑材収納箱としては、コンクリート板又は鋼鈑からなるものや（例えば、特許文献１参照、文献中では「保存箱」と称される）、アルミニウム又はその合金からなるものや（例えば、特許文献２参照、文献中では「砂箱」と称される）や、ガラス繊維強化プラスチックからなるもの（例えば、特許文献３参照、文献中では「砂箱」と称される）が公知である。
【０００３】
【特許文献１】
実公昭５５−５５２９５号公報
【特許文献２】
特開平７−３３１６３０号公報
【特許文献３】
実用新案登録番号第３０４３４５６号公報
【０００４】
【発明が解決しようとする課題】
しかしながら、上述の各特許文献の防滑材収納箱は、下記のような問題を有していた。
特許文献１の保存箱は、コンクリート板又は鋼鈑からなるため、耐久性はあるが重量がかなり重く、そのためこれを支持する支持脚や支持台も頑丈なコンクリート製あるいは鋼鉄製のものが必要であり、製造コストが高くつくと共に、これらの運搬や取扱いに大変な労力を要する。また、屋根蓋式であるため、重い砂袋を持ち上げて取り出さねばならず、腕力の弱い老人、女性、子供などでは砂袋を取り出すことが困難であり、さらに屋根に雪が積もれば排除せねばならず面倒である。
特許文献２の砂箱は、アルミニウム製又はアルミニウム合金製の板材からなり、この板材を折り曲げ加工やスポット溶接などして組み立てることとなるため、製造に手間を要し、量産は難しくコストが高くつくという問題や、耐衝撃性に劣るため子供のいたずら等でも簡単に変形し、美観を損い易いという問題がある。さらに、この砂箱は上下２段に収納部を有するが、どちらか一方の交換が必要であっても箱全体を交換しなければならず不経済であった。
特許文献３の砂箱は、ガラス繊維強化プラスチックからなるため、廃棄、リサイクルが困難であることや、成形には手作業が多く、二次加工も多いため量産は難しくコストが高くつくという問題がある。
【０００５】
本発明の主要な目的の一つは、取扱いが容易であり、交換・修理も手間無くかつ経済的に行える防滑材収納箱を提供することにある。
本発明の主要なもう一つの目的は、容易かつ低コストにて量産でき、リサイクルも可能な防滑材収納箱を提供することにある。
【０００６】
【課題を解決するための手段】
かくして、本発明によれば、防滑材入りの袋を出し入れ可能に収納する袋収納ユニットと、この袋収納ユニットを連結・離脱可能に下から支持する台座ユニットと、袋収納ユニットを連結・離脱可能に上から覆う蓋ユニットとを備え、
前記袋収納ユニットは、１個又は連結・離脱可能に上下に積み重なる複数個の箱単体からなる防滑材収納箱が提供される。
【０００７】
つまり、本発明の防滑材収納箱は、台座ユニットと袋収納ユニットと蓋ユニットの３つのユニットに分割・組立て可能であり、さらに袋収納ユニットは、１個又は分割・組立て可能な複数個の箱単体からなるので、損傷や老朽化によって交換や修理が必要な場合は、ユニット単位又は箱単体単位で交換・修理を行うことができ、経済的であると共に省資源に貢献できる。また、袋収納ユニットの箱単体を所望の段数に増減することができるので、防滑材収納箱の設置場所で必要とされる防滑材の収容量に対応することができる。
ここで、本発明において、防滑材とは、例えば砂や融雪剤や道路凍結防止剤（塩化系凍結防止剤（塩化カルシウム、塩化カリウム）や酢酸系凍結防止剤（ＣＭＡ：ダイセル化学工業（株）製）などが挙げられる。
【０００８】
本発明において、袋収納ユニットの箱単体は、左右の側壁と、上壁と、後壁とが一体状に連設されてなる本体部と、上端が左右の側壁に略水平軸心廻りに揺動可能に取り付けられて本体部の前方開口部を開閉可能に遮蔽する扉部とからなり、
台座ユニットは、左右の側壁と、上壁と、後壁と、底壁と、前壁とが一体状に連設されてなり、
袋収納ユニットの収納空間を、箱単体の左右の側壁、上壁、後壁、扉部、及び台座ユニットの上壁又は下に重なる箱単体の上壁にて区画形成してなるように構成してもよい。
つまり、箱単体は底壁が省略されたものであり、収納空間の底部は台座ユニットの上壁又は下に重なる箱単体の上壁によって構成されるため、箱単体の構造が簡素化される。また、箱単体は前壁を有さないため開口部には段差がなく、そのため、扉部を開けて中に収納されている防滑材入りの袋を引っ張れば、片手でも袋を底部で滑らせて容易に引き摺り出すことができ、腕力の弱い老人、女性、子供等でも袋を容易に取り出すことができる。
【０００９】
本発明において、袋収納ユニットの箱単体の本体部は、左右の側壁、上壁及び後壁がそれぞれ二重壁構造で一体状に連設されてなるものであってもよい。
このようにすれば、箱単体の本体部を軽量でありながら高強度に構成することができる。
【００１０】
本発明によれば、蓋ユニットは、（１）左右の側壁と、上壁と、後壁と、底壁と、開口部及び開口部を開閉する開閉蓋を有する前壁とが一体状に連設されて内部が中空の空袋収納部とされた構成としてもよく、あるいは（２）左右の側壁と、上壁と、後壁と、開口部及び開口部を開閉する開閉蓋を有する前壁とが一体状に連設され、蓋ユニットの収納空間を、蓋ユニットの左右の側壁、上壁、後壁、前壁及び袋収納ユニットの箱単体の上壁にて区画形成してなる構成としてもよい。
上記構成（１）（２）とすることにより、防滑材を使用した後の空袋を、道端に放置せずに蓋ユニットの内部に収納することができ、袋をゴミとせずに再度使用することができる。また、上記構成（２）の場合、蓋ユニットは底壁が省略されたものであり、収納空間の底部は箱単体の上壁によって構成されるため、蓋ユニットの構造が簡素化されるという利点もある。
【００１１】
本発明において、台座ユニットは、その上壁における左右側面側及び後面側にナットがネジ孔を上下方向としてそれぞれ埋設され、
袋収納ユニットの箱単体は、その上壁における左右側面側及び後面側にナットがネジ孔を上下方向としてそれぞれ埋設され、かつ左右の側壁及び後壁における台座部のナット又は下に重なる箱単体のナットの上方近傍位置にそれぞれ凹部を有すると共に、各凹部の下面側にボルト挿通用の貫通孔を有し、
蓋ユニットは、その左右の側壁及び後壁における箱単体のナットの上方近傍位置にそれぞれ凹部を有すると共に、各凹部の下面にボルト挿通用の貫通孔を有するものとしてもよい。
このように構成すれば、各ユニット同士及び各箱単体同士を連結・離脱可能とする接続構造がボルト・ナット結合構造であるため簡素で済む。また、防滑材収納箱の組立てに際しては、各ユニット同士及び各箱単体同士を簡単かつ強固に連結することができ、一方交換・修理に際しては、簡単かつ迅速に分解することができる。また、各ユニットは、それらの外面に設けられた凹部が指掛け部としても機能するので、運搬や組み立てに際して取り扱いが容易である。
【００１２】
本発明において、設置場所に固定され、上面に台座ユニットが載置される架台をさらに備え、
台座ユニットは、底壁のコーナー部近傍にナットがネジ孔を上下方向としてそれぞれ埋設されており、
前記架台は、上面に載置した台座ユニットの各ナットに対応する位置にボルト挿通用の貫通孔を有してなるものとしてもよい。
このように構成すれば、設置場所に固定される架台上に台座ユニットを載置し、架台の下方から各貫通孔にボルトを挿通して台座ユニットの各ナットに螺合させることにより、防滑材収納箱を設置場所に安定して固定することができる。架台としては、例えば、▲１▼矩形金属板のコーナ部４箇所にＬ字片状に折曲げ形成された脚部を有するもの、▲２▼接地板と支柱部と台座ユニットが載置される載置板とからなるものや、▲３▼角ブロック形のもの等、設置場所に応じた形状のものを用いることができ、このような▲１▼▲２▼▲３▼等の各種架台の上面にボルト挿通用の前記貫通孔を設ける。なお、これら各種架台の固定方法としては、接地部分にアンカーボルト用の挿通孔を形成し、かつ設置場所に予め固設しておいた４本のアンカーボルトを各挿通孔に通してナットにて締め付けて固定する方法を具体例として挙げることができる。上記▲２▼では、防滑材収納箱の高さを高くすることができるので、積雪の多い場所に有利であるが、上記▲１▼▲３▼でもアンカーボルトに螺合するナットや架台の下にスペーサを介設することにより防滑材収納箱の高さが調整可能である。また、防滑材収納箱の倒れ防止策として、例えば、既設のポールや電柱等に金属帯材を巻き、その両端を重ね合わせ貫通孔を形成し、この貫通孔にボルトを通して袋収納ユニットと台座ユニットとを連結することができる。
【００１３】
本発明によれば、蓋ユニットは、その上壁が、後方へ向かって下方に傾斜してなるものであってもよく、このようにすれば、防滑材収納箱の上に雪が積もっても、使用者が防滑材入りの袋を取り出す際に雪が手前（使用者側）に崩れ落ちない。
【００１４】
本発明によれば、扉部は、透明樹脂製の覗き窓を有するものとしてもよく、このようにすれば、防滑材収納箱の中に防滑材が入っているか否かを扉を開けずとも一目で確認できる。
【００１５】
本発明によれば、台座ユニットは、その上壁が、下方へ凹んで上面側に収納容積増加用凹所が形成されてなるものであってもよく、このようにすれば、袋収納ユニットの台座ユニット直上の収納空間容積を大きくすることができ、防滑材の収容量を増やすことができる。この場合、台座ユニットは、その上壁の凹所における前面側に、前方へ向かって上方に傾斜する取出し労力軽減用傾斜面部を有するものであれば、防滑材入りの袋を取り出す際に、両手で袋を持ち上げずとも片手で袋を傾斜面部で引き擦り上げて楽に取り出すことができる。
【００１６】
本発明において、上述のような構成の各ユニットは、主として熱可塑性樹脂を原材料として回転成型により形成することができ、それにより原材料の低コスト化と、大量生産が可能となり、防滑材収納箱を安価に提供することができる。また、廃棄処分する防滑材収納箱を、熱可塑性樹脂としてリサイクルすることも可能となり、環境負荷を低減することができる。なお、熱可塑性樹脂としては、ポリエチレン、ポリカーボネート、ポリアミド、ポリ塩化ビニール、ＡＢＳ等が挙げられるが、成形性、経済性、リサイクル性等の点からポリエチレンが好ましい。
【００１７】
【発明の実施の形態】
以下、本発明に係る防滑材収納箱の実施の形態を図面に基づいて詳説する。なお、本発明は実施の形態に限定されるものではない。
【００１８】
［実施の形態１］
図１は本発明に係る防滑材収納箱の実施の形態１を示す平面図であり、図２は同実施の形態１の正面図であり、図３は同実施の形態１の右側面図であり、図４は同実施の形態１の底面図であり、図５は同実施の形態１の背面図であり、図６は同実施の形態１における各ユニットを分解した状態の正面断面図であり、図７は同実施の形態１における各ユニットを分解した状態の右側断面図であり、図８は図１のＡ−Ａ線断面図であって、防滑材入りの袋を収納した使用状態を表し、図９は図１のＢ−Ｂ線断面図である。
【００１９】
この実施の形態１の防滑材収納箱Ｇ１は、防滑材入りの袋８を出し入れ可能に収納する袋収納ユニット１と、この袋収納ユニット１を連結・離脱可能に下から支持する台座ユニット２と、袋収納ユニット１を連結・離脱可能に上から覆う蓋ユニット３とを備える。つまり、この防滑材収納箱Ｇ１は、各ユニット１、２、３から組立てられており、各ユニット１、２、３毎に分解することもできる。さらに、袋収納ユニット１は、連結・離脱可能に上下に積み重なる複数個（この場合２個）の箱単体１０、１０からなる。これら、各ユニット及び箱単体同士の接続構造は、後述のボルト・ナット結合構造とされている。この実施の形態１の防滑材収納箱の具体的な大きさ寸法としては、例えば左右幅：約５８ｃｍ、前後幅：約５２ｃｍ、高さ：約１２０ｃｍに設定される。
【００２０】
袋収納ユニット１の箱単体１０は、左右の側壁１１、１２と、上壁１３と、後壁１４とが一体状に連設されてなる本体部１５と、上端が左右の側壁１１、１２に略水平軸心廻りに揺動可能に取り付けられて本体部１５の前方開口部を開閉可能に遮蔽する扉部１６とからなる。この箱単体１０は、高さ：約３４ｃｍである。
【００２１】
本体部１５は、原材料をポリエチレンとして回転成型することにより、上述した左右の側壁１１、１２、上壁１３及び後壁１４がそれぞれ二重壁構造で連設されて形成されている。
本体部１５の構造を図６〜図９を主に参照して説明すると、上壁１３は、その外壁及び内壁が前端側が前方へ向かって上傾し、また外壁における後端から左右端につながって平面視コの字状の落ち込み段部を有している。そして、この外壁の落ち込み段部１３ａには、後面側の左右中間位置及び左右側面側の前後中間よりもやや前方位置の計３箇所に、ナット４がネジ孔を上下方向として埋設（インサート成形）されている。
左右の側壁１１、１２及び後壁１４は、それらの外壁におけるナット４の直下位置に上下方向の浅溝を有し、この浅溝内におけるナット４の下方近傍位置に凹部１１ａ、１２ａ、１４ａが設けれており、各凹部１１ａ、１２ａ、１４ａの上面にはボルト挿通用の貫通孔１１ｂ、１２ｂ、１４ｂが形成されている。また、左右の側壁１１、１２及び後壁１４の上記浅溝内における下端側にも凹部１１ｃ、１２ｃ、１４ｃを有し、これら各凹部１１ｃ、１２ｃ、１４ｃの下面側にボルト挿通用の貫通孔１１ｄ、１２ｄ、１４ｄが形成されている。また、左右の側壁１１、１２は、その前方開口部側の厚みが上端から下端近傍までやや厚く形成されており、それらの内壁の上端側に後述する扉部１６の軸１７の両端が回動可能に挿入されるボス部が設けられると共に、内壁のボス部より後に頂部が位置するように略直角三角形の突条部１１ｅ（図面では図７、図８に左側壁１１のみ図示）が設けられており、この突条部１１ｅの前端勾配面が扉部１６に当接するストッパとなっている。
【００２２】
箱単体１０の扉部１６は、本体部１５の前方開口部を開閉可能に閉じる矩形状の扉本体１８と、扉本体１８の上端に水平方向に設けられた筒部に挿通された上記軸１７と、扉本体１８の略中央に設けられた矩形孔部の裏面側に付設された透明なポリカーボネート製の覗き窓１９とからなる。扉本体１８は、原材料をポリエチレンとして回転成型することにより形成されており、その下端には扉部１６を開けるための指掛け部１６ａを有している。本体部１５に取り付けられた扉部１６は、自由状態では本体部１６の左右の上記突条部１１ｅの前端勾配面に当接した状態で前方開口部を閉じている。また、箱単体１０の上壁１３の前端側がやや上方へ傾斜しているため、扉部１６を水平位置よりも上方まで揺動させて開けることができ（図８参照）、防滑材入りの袋８の出し入れが行い易いように設計されている。なお、この箱単体１０は、分解した状態（図７参照）では底がなく下方に開口している。
【００２３】
台座ユニット２は、左右の側壁２１、２２と、上壁２３と、後壁２４と、底壁２５と、前壁２６とが一体状に連設されてなり、原材料をポリエチレンとして回転成型することにより形成されている。この台座ユニット２は、高さ：約３４ｃｍである。
【００２４】
台座ユニット２の上壁２３は、下方へ凹んで上面側に収納容積増加用凹所２７が形成されており、この凹所２７の前面側に、前方へ向かって上方に傾斜する取出し労力軽減用傾斜面部２７ａを有している。また、上壁２３は、後端から左右端につながって平面視コの字状の落ち込み段部２３ａを有している。そして、この落ち込み段部２３ａには、上述した袋収納ユニット１の箱単体１０の下端３箇所に設けられた凹部１１ｃ、１２ｃ、１４ｃの貫通孔１１ｄ、１２ｄ、１４ｄに対応する位置に、ナット４がネジ孔を上下方向として埋設（インサート成形）されている。また、左右の側壁２１、２２及び後壁２４は、ナット４の直下位置に上下方向の浅溝を有し、この浅溝内におけるナット４の下方近傍位置に凹部２１ａ、２２ａ、２４ａが設けれており、各凹部２１ａ、２２ａ、２４ａの上面にはボルト挿通用の貫通孔２１ｂ、２２ｂ、２４ｂが形成されている。
底壁２５は、そのコーナー部近傍に、ナット４がネジ孔を上下方向として埋設（インサート成形）されている（図４、図６参照）。
【００２５】
蓋ユニット３は、左右の側壁３１、３２と、上壁３３と、後壁３４と、底壁３５と、矩形状の開口部及び開口部を開閉する開閉蓋３８を有する前壁３６とが一体状に連設されてなる内部中空の蓋本体３７とからなり、内部が空袋９を入れる空袋収納部となっている。この蓋ユニット３は、高さ：約１８ｃｍ（前端側）である。
【００２６】
蓋本体３７は、その左右の側壁３１、３２及び後壁３４における箱単体１０の３箇所のナット４の直上近傍位置に、それぞれ凹部３１ａ、３２ａ、３４ａを有すると共に、各凹部３１ａ、３２ａ、３４ａの下面側にボルト挿通用の貫通孔３１ｂ、３２ｂ、３４ｂが形成されている。また、左右の側壁３１、３２と、上壁３３と、後壁３４とは滑らかに湾曲してつながり、さらに上壁３３は、後方へ向かって下方に傾斜しており、積もった雪が後方へ滑り落ち易いようにしている。
開閉蓋３８は、前壁３６の内面における開口部上縁に沿って接着されたアクリル樹脂製の固定板と、この固定板に蝶番を介して取り付けられた透明アクリル樹脂製の開閉板とからなる。
【００２７】
次に、以上のように構成された袋収納ユニット１、台座ユニット２及び蓋ユニット３の接続構造について説明する。
２個の箱単体１０、１０からなる袋収納ユニット１の組み立てに際しては、先ず、一方の箱単体１０を持ち上げ、左右の側壁１１、１２及び後壁１４の下端を、他方の箱単体１０の上端の平面視コの字状の落ち込み部１３ａに載せて嵌合させる。これにより、上の箱単体１０の下端にある３つの凹部１１ｃ、１２ｃ、１４ｃの貫通孔１１ｄ、１２ｄ、１４ｄが、下の箱単体１０の落ち込み部１３ａにある３つのナット４、４、４のネジ孔の直上に位置するので、各凹部１１ｃ、１２ｃ、１４ｃから各貫通孔１１ｄ、１２ｄ、１４ｄにボルト５を通して各ナット４に螺合させ、上下の箱単体１０、１０を連結して袋収納ユニット１を組み立てる。
【００２８】
袋収納ユニット１と台座ユニット２との連結に際しては、袋収納ユニット１を持ち上げ、下側の箱単体１０の左右の側壁１１、１２及び後壁１４の下端を、台座ユニット２の上端の平面視コの字状の落ち込み部２３ａに載せて嵌合させる。これにより、下の箱単体１０の下端にある３つの凹部１１ｃ、１２ｃ、１４ｃの貫通孔１１ｄ、１２ｄ、１４ｄが、台座ユニット２の落ち込み部２３ａにある３つのナット４、４、４のネジ孔の直上に位置するので、各凹部１１ｃ、１２ｃ、１４ｃから各貫通孔１１ｄ、１２ｄ、１４ｄにボルト５を通して各ナット４に螺合させ、袋収納ユニット１と台座ユニット２とを連結する。
【００２９】
袋収納ユニット１と蓋ユニット３との連結に際しては、蓋納ユニット３を持ち上げ、左右の側壁３１、３２及び後壁３４の下端を、袋収納ユニット１の箱単体１０の上端の平面視コの字状の落ち込み部１３ａに載せて嵌合させる。これにより、蓋ユニット３の下端にある３つの凹部３１ａ、３２ａ、３４ａの貫通孔３１ｂ、３２ｂ、３４ｂが、袋収納ユニット１の落ち込み部１３ａにある３つのナット４、４、４のネジ孔の直上に位置するので、各凹部３１ａ、３２ａ、３４ａから各貫通孔３１ｂ、３２ｂ、３４ｂにボルト５を通して各ナット４に螺合させ、袋収納ユニット１と蓋ユニット２とを連結する。
【００３０】
以上、袋収納ユニット１の上下の箱単体１０、１０の連結手順、及び各ユニット同士の連結手順について説明したが、組み立てる順番は特に限定されない。例えば、台座ユニット２の上に下の箱単体１０を積み上げて連結し、その上に上の箱単体１０を積み上げて連結し、その上に蓋ユニット３を積み上げて連結するという具合に１個ずつ積み上げたり、あるいは上述したように上下の箱単体１０が連結してなる袋収納ユニット１を台座ユニット２上に載せて連結し、その上に蓋ユニット３を載せて連結してもよい。また、台座ユニット２は、図示省略の架台を介して設置場所に固定するようにしてもよい。
【００３１】
このように組立てられた防滑材収納箱Ｇ１は、図８と図９に示すように、袋収納ユニット１の下側の収納空間４０は、下の箱単体１０の左右の側壁１１、１２、上壁１３、後壁１４、扉部１６、及び台座ユニット２の上壁２３にて区画形成されている。また、袋収納ユニット１の上側の収納空間４１は、上の箱単体１０の左右の側壁１１、１２、上壁１３、後壁１４、扉部１６、及び下に重なる箱単体１０の上壁１３にて区画形成されている。上の扉部１６の下端の指掛け部１６ａと下の箱単体１０の上壁１３との間、及び下の扉部１６の指掛け部１６ａと台座ユニット２の前壁２６との間には隙間が形成されており、この隙間に指を入れて指掛け部１６ａを引くことにより扉部１６を上方へ揺動させて開くことができ、内部の収納空間に防滑材入りの袋８を出し入れすることができる。なお、手を放せば扉部１６は自重により下方へ揺動して開口部を閉じる。
防滑材を使用した後の空袋９は、蓋ユニット３の開閉蓋３８を手で押して内側へ開けることにより内部の収納空間４２に出し入れすることができる。なお、手を離せば、開閉蓋３８は自重により下方へ揺動して開口部を閉じる。
【００３２】
この実施の形態１の防滑材収納箱は、袋収納ユニット１の収納空間が上下２段であり、かつ下の収納空間４０は台座ユニット２の上壁２３に凹所２７が形成されたことにより底が深くなっているので、上の収納空間４１よりも収納容積が２倍近くに大きくなっており、防滑材の使用頻度及び／又は使用量が比較的多い場所に設置される。実施の形態１では、防滑材（例えば砂）２〜５ｋｇ入りの袋８が、上段に１０〜２０袋と下段に２０〜３０袋収納された場合を例示している。なお、下段の収納空間４０において、上の袋８を取り出した後、下の袋８を取り出す際は、底部分の前側に傾斜面部２７ａが設けられているので袋８を持ち上げずとも片手で引きずり出すことができる。
【００３３】
［実施の形態２］
図１０は本発明に係る防滑材収納箱の実施の形態２を示す正面図である。
この実施の形態２の防滑材収納箱Ｇ２は、全体の高さ寸法は実施の形態１とほぼ同じであるが、袋収納ユニット１が１個の箱単体１０からなり、台座ユニット２の高さが（実施の形態１に比して）箱単体１０の高さ１個分程度高く設定されており、例えば高さ：約６８ｃｍである。実施の形態２のその他の構成は、実施の形態１と同様であり、同一の要素には同一の符号を付しその説明を省略する。
【００３４】
このように箱単体１０が１個の場合でも、台座ユニット２の高さを高くすることにより、袋収納ユニット１の扉部１６及び収納空間の位置を実施の形態１の上段の扉部１と略同じ高さにすることができ、使用者が腰を屈めなくとも袋８の出し入れを行い易くしている。この実施の形態２の防滑材収納箱Ｇ２は、防滑材の使用頻度及び／又は使用量が比較的少ない場所に設置される。
【００３５】
［他の実施の形態］
上記実施の形態は、袋収納ユニット１が２個又は１個の箱単体１０からなる場合を例示したが、箱単体１０を３個以上積み重ねて連結することも可能であるが、防滑剤入りの袋８を取り出す使用者又は袋８を補給する作業者の肩より上に収納空間を設けるのは出し入れが困難で実用的ではなく、かつ袋８が重量物なので危険であるため、１、２段が好ましい。
【００３６】
【発明の効果】
本発明の防滑材収納箱は、台座ユニットと袋収納ユニットと蓋ユニットの３つのユニットに分割・組立て可能であり、さらに袋収納ユニットは、１個又は分割・組立て可能な複数個の箱単体からなるので、損傷や老朽化によって交換や修理が必要な場合は、ユニット単位又は箱単体単位で交換・修理を行うことができ、経済的であると共に省資源に貢献できる。また、袋収納ユニットの箱単体を所望の段数に増減することができるので、防滑材収納箱の設置場所で必要とされる防滑材の収容量に対応することができる。
【図面の簡単な説明】
【図１】本発明に係る防滑材収納箱の実施の形態１を示す平面図である。
【図２】同実施の形態１の正面図である。
【図３】同実施の形態１の右側面図である。
【図４】同実施の形態１の底面図である。
【図５】同実施の形態１の背面図である。
【図６】同実施の形態１における各ユニットを分解した状態の正面断面図である。
【図７】同実施の形態１における各ユニットを分解した状態の右側断面図である。
【図８】図１のＡ−Ａ線断面図であって、防滑材入りの袋を収納した使用状態を表す。
【図９】図１のＢ−Ｂ線断面図である。
【図１０】本発明に係る防滑材収納箱の実施の形態２を示す正面図である。
【符号の説明】
１  袋収納ユニット
２  台座ユニット
３  蓋ユニット
８  防滑材入りの袋
１０  箱単体
【図１】
2004308196.tif 000003
【図２】
2004308196.tif 000004
【図３】
2004308196.tif 000005
【図４】
2004308196.tif 000006
【図５】
2004308196.tif 000007
【図６】
2004308196.tif 000008
【図７】
2004308196.tif 000009
【図８】
2004308196.tif 000010
【図９】
2004308196.tif 000011
【図１０】
2004308196.tif 000012